(57)【特許請求の範囲】
【請求項１】
ターボファンエンジンの構成要素であるファンまたは圧縮機の翼であって、
前記翼は、高さ方向において亜音速領域と遷音速領域とに区分され、前記ターボファンエンジンの定格運転時における前記翼への流入空気流の相対マッハ数が、前記亜音速領域においては0.8未満、前記遷音速領域においては0.8以上であり、
前記翼は、高さ方向の各位置における断面が、前縁と後縁の間をそれぞれ延びる凹状の正圧面と凸状の負圧面から成り、
前記断面において、
前記正圧面及び前記負圧面の上の点における接線と前記ターボファンエンジンの軸方向とのなす角を翼面角（β）、前記前縁における翼面角を入口翼面角（βin）、前記後縁における翼面角を出口翼面角（βex）として、（式１）により定義されるパラメータ（δ）を翼面角変化率と称し、
δ＝（βin−β）／（βin−βex）  （式１）
前記前縁と前記後縁を結ぶ線分を翼弦、前記正圧面及び前記負圧面の上の点から前記前縁まで軸方向に計った距離（ｘ）を前記翼弦の軸方向長さ（ｃ）により除したパラメータ（ｘ／ｃ）をコード比と称するとき、
前記亜音速領域における前記翼の前記正圧面においては、翼面角変化率の最小値が-0.90以上、かつ、コード比0.39の位置における翼面角変化率が0.43以下であり、
前記亜音速領域における前記翼の前記負圧面においては、コード比0.05の位置における翼面角変化率が0.26以上、かつ、コード比0.36の位置における翼面角変化率が0.58以下であり、
前記遷音速領域における前記翼の前記正圧面においては、翼面角変化率の最小値が-0.48以上、かつ、コード比0.35の位置における翼面角変化率が0.12以下であり、
前記遷音速領域における前記翼の前記負圧面においては、コード比0.10の位置における翼面角変化率が0.29以上、かつ、コード比0.43の位置における翼面角変化率が0.47以下である、翼。
【発明の詳細な説明】
【技術分野】
【０００１】
本開示は、ターボファンエンジンの構成要素であるファン及び圧縮機の翼、特に翼周りの流れの減速を制御することによって翼面上の層流域を拡大し損失を低減したファン及び圧縮機の翼に関する。
【背景技術】
【０００２】
ターボファンエンジンの構成要素であるファン及び圧縮機は、それぞれ動翼及び静翼を備えている。一例として、ファン動翼を、図４に示す。なお、以下の説明で用いられる「径方向」、「周方向」、「軸方向」は、それぞれ、ファン動翼が組み込まれるターボファンエンジンの径方向、周方向、軸方向と一致する方向である。【０００３】
図４は、ファン動翼ＲＢの概略斜視図である。ファン動翼ＲＢは、翼部ＡＦと翼根部ＲＴから成っている。翼部ＡＦは、作動流体である空気が流れる環状流路内を径方向に延びる部位であり、当該翼部ＡＦが周方向に等間隔に配置されることにより、翼列が形成される。翼根部ＲＴは、回転軸に接続されたディスク（図示省略）にファン動翼ＲＢを取り付ける際、当該ディスクの外周面に形成された溝に嵌め込まれるように構成された部位である。【０００４】
図５は、図４におけるＩ−Ｉ断面図であり、あるスパン方向位置（翼部ＡＦの高さ方向の位置）における翼部ＡＦの断面形状、すなわち翼型を示している。なお、同図において矢印Ｚ、θは、それぞれ軸方向、周方向を示している。【０００５】
翼型は、前縁ＬＥと後縁ＴＥの間をそれぞれ延びる凹状の正圧面ＰＳと凸状の負圧面ＳＳから構成されている。なお、前縁ＬＥと後縁ＴＥを結ぶ線分を翼弦（コード）という。また、翼弦の長さを翼弦長、翼弦に沿う方向を翼弦方向という。なお、「正圧面」及び「負圧面」という語は、本来は翼部の表面を構成する曲面を表すものであるが、本明細書においては、翼型の輪郭を構成する曲線を表すものとして用いている。【０００６】
図５に示すように、翼型は湾曲しているが、この湾曲は、前縁ＬＥから後縁ＴＥまでの翼面角（β）の変化として捉えることができる。【０００７】
翼面角（β）は、図５に示すように、翼面上のある点（Ｐ）における接線（Ｔ）と軸方向（Ｚ）とのなす角であり、このうち、前縁ＬＥにおける翼面角を入口翼面角（βin）、後縁ＴＥにおける翼面角を出口翼面角（βex）と呼ぶことにする。なお、翼面角βは、正圧面ＰＳ、負圧面ＳＳのそれぞれにおいて定義されるものであるが、図が煩雑になることを避けるため、図５においては、負圧面ＳＳ上の点Ｐにおける翼面角βのみを例示している。【０００８】
一般に、入口翼面角βinは出口翼面角βexより大きく、翼面角βは、前縁ＬＥから後縁ＴＥへ向かって次第に減少する。ただし、正圧面ＰＳの翼面角βは、前縁ＬＥ近傍の領域において、入口翼面角βinと比較して一旦大きくなった後、後縁ＴＥへ向かって次第に減少する。これは、正圧面ＰＳが、前縁ＬＥ近傍の領域において局所的に膨らんだ部位を有していることによるものである。【０００９】
ここで、翼面角の変化の態様（すなわち、前縁ＬＥから後縁ＴＥへ向かっての減少の度合い）を客観的に捉えるためのパラメータとして、翼面角変化率を導入することにする。
翼面角変化率（δ）は、（式１）により定義される。
δ＝（βin−β）／（βin−βex）      （式１）【００１０】
（式１）から分かるように、翼面角変化率δは、翼面上のある点における翼面角βの前縁ＬＥにおける翼面角（入口翼面角βin）からの減少量を、前縁ＬＥから後縁ＴＥに至るまでの翼面角の総減少量（入口翼面角βinから出口翼面角βexを減じた角）によって正規化したパラメータであり、前縁ＬＥにおいて０、後縁ＴＥにおいて１の値をとる。そして、翼面角変化率δは、上述した翼面角βの変化に対応して、正圧面ＰＳにおいては、前縁ＬＥ（＝０）から後縁ＴＥへ向かうにつれ一旦減少して負の値となり、最小となった後、後縁ＴＥ（＝１）まで単調に増加する。また、負圧面ＳＳにおいては、前縁ＬＥ（＝０）から後縁ＴＥ（＝１）まで単調に増加する。【００１１】
このように、前縁ＬＥから後縁ＴＥへ向かっての翼面角変化率の増加は、翼面角の減少と１対１に対応するので、翼面角の減少の緩急（すなわち、翼型の湾曲の大小）は、翼面角変化率の増加の緩急として捉えることができる。また、翼面角変化率を用いることにより、異なる翼の間でも翼面角の減少の緩急を比較することが可能となる。【００１２】
なお、翼型の湾曲の態様を調整することにより損失を低下させた圧縮機の翼が、特許文献１に開示されている。同文献が開示する翼においては、翼型のキャンバーライン（中心線）上の点における接線と軸方向とのなす角をβ’、前縁、後縁における当該角をそれぞれβin’、βex’とするとき、（式２）により定義されるパラメータ（δ’）が0.5に等しくなるキャンバーライン上の点を、翼弦方向において所定の範囲に配置している。
δ’＝（βin’−β’）／（βin’−βex’）      （式２）
【先行技術文献】
【特許文献】
【００１３】
【特許文献１】国際公開第２０１６／０２４４６１号
【発明の概要】
【発明が解決しようとする課題】
【００１４】
ところで、周方向に隣り合う２つの翼部の間にそれぞれ形成される翼間流路は、翼の入口側（上流側）から出口側（下流側）へ向かって流路面積が拡大する拡散流路となっている。したがって、翼間流路に流入する空気の流速が亜音速（マッハ数＜0.8）である場合、翼の入口側から出口側へ向かうにつれ、流路面積の拡大に伴って流速の低下すなわち減速が生じる。【００１５】
このとき、流路面積が急激に拡大する部位においては、急激な減速が生じ、翼面上に形成された境界層が層流状態から乱流状態へ遷移する。【００１６】
層流境界層内では、壁面近傍の速度勾配が小さいため、壁面における剪断応力、すなわち摩擦応力は小さいが、乱流境界層内では、壁面近傍の速度勾配が大きいため、摩擦応力は大きくなる。そのため、翼面上において、層流境界層が形成された領域（層流域）が大きく、乱流境界層が形成された領域（乱流域）が小さいほど、翼に作用する摩擦抗力は小さくなり、翼間流れの摩擦損失は小さくなる。【００１７】
したがって、翼型の設計にあたっては、層流域をなるべく広くするために、境界層の層流状態から乱流状態への遷移位置がなるべく下流側に位置するよう配慮することが必要である。【００１８】
従来例のファン動翼では、正圧面においては特にチップ側（スパン方向における先端側）で、負圧面においては特にミッドスパンからチップ側で、遷移位置が比較的上流に位置しており、翼面上の境界層が早期に（すなわち、上流側で）層流状態から乱流状態へ遷移して層流域が小さくなり、結果的に翼間流れの摩擦損失が大きくなっていた。【００１９】
そこで、従来例のファン動翼の翼周りの流れの速度分布を詳細に分析した結果、正圧面、負圧面共に、比較的上流側の領域において急激な減速が生じており、この領域で境界層の遷移が生じていることが分かった。【００２０】
急激な減速が生じる部位は、上述したように、翼間流路の流路面積が急激に拡大する部位であると考えられるが、翼間流路の流路面積の拡大の緩急は、翼面角の減少の緩急と対応している。すなわち、翼面角が急激に減少する部位があると、それより下流側において、翼間流路の流路面積が急激に拡大するため、流れの急激な減速が生じ、境界層の層流状態から乱流状態への遷移が生じる可能性が高い。【００２１】
以上のことから、翼面角の減少の緩急を調整することによって翼間流路の流路面積の拡大の緩急を調整し、これによって翼周りの流れの減速を適切に制御すれば、翼面上の境界層の遷移を遅らせて（すなわち、遷移位置をより下流側として）層流域を大きくし、結果的に翼間流れの摩擦損失を低減できることが分かる。【００２２】
本開示は、以上の考察に基づいてなされたものであって、翼周りの流れの減速を適切に制御することによって翼面上の境界層の遷移を遅らせ（すなわち、遷移位置をより下流側とし）、翼面上の層流域を拡大し損失を低減したファン及び圧縮機の翼を提供することを目的とする。
【課題を解決するための手段】
【００２３】
上記課題を解決するために、本開示の翼は、ターボファンエンジンの構成要素であるファンまたは圧縮機に適用されるものであって、高さ方向において亜音速領域と遷音速領域とに区分され、前記ターボファンエンジンの定格運転時における前記翼への流入空気流の相対マッハ数が、前記亜音速領域においては0.8未満、前記遷音速領域においては0.8以上であり、また、高さ方向の各位置における断面が、前縁と後縁の間をそれぞれ延びる凹状の正圧面と凸状の負圧面から成り、前記断面において、前記正圧面及び前記負圧面の上の点における接線と前記ターボファンエンジンの軸方向とのなす角を翼面角（β）、前記前縁における翼面角を入口翼面角（βin）、前記後縁における翼面角を出口翼面角（βex）として、（式１）により定義されるパラメータ（δ）を翼面角変化率と称し、前記前縁と前記後縁を結ぶ線分を翼弦、前記正圧面及び前記負圧面の上の点から前記前縁まで軸方向に計った距離（ｘ）を前記翼弦の軸方向長さ（ｃ）により除したパラメータ（ｘ／ｃ）をコード比と称するとき、前記亜音速領域における前記翼の前記正圧面においては、翼面角変化率の最小値が-0.90以上、かつ、コード比0.39の位置における翼面角変化率が0.43以下であり、前記亜音速領域における前記翼の前記負圧面においては、コード比0.05の位置における翼面角変化率が0.26以上、かつ、コード比0.36の位置における翼面角変化率が0.58以下であり、前記遷音速領域における前記翼の前記正圧面においては、翼面角変化率の最小値が-0.48以上、かつ、コード比0.35の位置における翼面角変化率が0.12以下であり、前記遷音速領域における前記翼の前記負圧面においては、コード比0.10の位置における翼面角変化率が0.29以上、かつ、コード比0.43の位置における翼面角変化率が0.47以下である。
δ＝（βin−β）／（βin−βex）  （式１）
【発明の効果】
【００２４】
本開示によれば、翼面上の境界層の層流状態から乱流状態への遷移を遅らせる（すなわち、遷移位置をより下流側とする）ことにより、層流域を拡大し、摩擦損失を低減させるという、優れた効果を得ることができる。
【図面の簡単な説明】
【００２５】
【図１】本開示の実施形態のファン動翼の、あるスパン方向位置における断面形状（翼型）を、従来例のファン動翼の翼型と比較して示す概略説明図である。
【図２Ａ】本開示の実施形態のファン動翼の亜音速領域における正圧面の翼面角変化率の翼弦方向分布を、従来例のファン動翼と比較して示す図である。
【図２Ｂ】本開示の実施形態のファン動翼の亜音速領域における負圧面の翼面角変化率の翼弦方向分布を、従来例のファン動翼と比較して示す図である。
【図３Ａ】本開示の実施形態のファン動翼の遷音速領域における正圧面の翼面角変化率の翼弦方向分布を、従来例のファン動翼と比較して示す図である。
【図３Ｂ】本開示の実施形態のファン動翼の遷音速領域における負圧面の翼面角変化率の翼弦方向分布を、従来例のファン動翼と比較して示す図である。
【図４】ターボファンエンジンのファン動翼の概略斜視図である。
【図５】図４におけるＩ−Ｉ断面図であり、ファン動翼の断面形状（翼型）を示している。
【発明を実施するための形態】
【００２６】
以下、本開示の実施形態について、図面を参照して詳細に説明する。
【００２７】
上述したように、従来例のファン動翼では、正圧面、負圧面共に、比較的上流側の領域において急激な減速が生じていた。特に、正圧面においてはコード比約0.05の領域において、負圧面においてはコード比約0.15の領域において、それぞれ急激な減速が生じていた。このことは、これらの領域に、翼面角が急激に減少する部位、換言すれば翼面角変化率が急激に増加する部位が存在することを意味している。なお、コード比（ｘ／ｃ）は、前縁から軸方向に計った距離（ｘ）を翼弦の軸方向長さ（ｃ）で除した無次元値である。
【００２８】
そこで、本開示の実施形態のファン動翼では、以下の方針に沿って、従来例のファン動翼から翼型を変化させている。
（１）正圧面のコード比約0.05の領域における減速を抑えるため、この領域に出現する翼面角変化率のピークを小さく抑える。換言すれば、翼面角変化率が負となるこの領域における最小値の絶対値を小さく抑える。
（２）負圧面のコード比約0.15近傍の領域においては、減速を抑えるため、翼面角の変化を小さく抑える。そのために、これよりも上流のコード比約0.05近傍の領域において、翼面角の変化を大きくする。
【００２９】
このようにして得られた本開示の実施形態のファン動翼の、あるスパン方向位置における断面形状（翼型）を、従来例のファン動翼の翼型と比較して図１に示す。また、本開示の実施形態のファン動翼の翼面角変化率の翼弦方向分布を、従来例のファン動翼の翼型と比較して図２Ａ〜図３Ｂに示す。ここで、図２Ａは亜音速領域における正圧面の分布を、図２Ｂは亜音速領域における負圧面の分布を、図３Ａは遷音速領域における正圧面の分布を、図３Ｂは遷音速領域における負圧面の分布を、それぞれ示している。なお、これらの図の各グラフでは、縦軸に翼面角変化率を、横軸に翼弦方向位置を、それぞれプロットしているが、翼弦方向位置は、コード比を用いて表示している。
【００３０】
ここで、亜音速領域、遷音速領域とは、ファン動翼が組み込まれるターボファンエンジンの定格運転時に、翼に流入する空気の流れの相対マッハ数がそれぞれ0.8未満、0.8以上となるスパン方向の領域を指している。動翼の場合、亜音速領域は、回転により流れに付加される周方向速度成分の小さい内径側の領域、遷音速領域は、回転により流れに付加される周方向速度成分の大きい外径側の領域となる。
【００３１】
図２Ａ〜図３Ｂに示すように、正圧面（図２Ａ及び図３Ａ参照）においては、コード比約0.05の領域に出現する翼面角変化率の最小値（負の値）の絶対値が小さく抑えられ、その結果、それより下流の領域において翼面角変化率の急激な増加が抑制されている。また、負圧面（各図の（Ｂ）参照）においては、コード比約0.05近傍の領域において翼面角変化率の増加が大きくなり、その結果、それより下流の領域において翼面角変化率の急激な増加が抑制されている。
【００３２】
このように、本開示の実施形態のファン動翼では、従来例のファン動翼と比較して、翼面角変化率の変化の態様の調整を通じて、翼周りの流れの減速が適切に制御され、その結果、以下に示すように、翼面上に形成された境界層の層流状態から乱流状態への遷移位置が、より下流側に移動している。なお、以下においては、本開示の実施形態のファン動翼における遷移位置（コード比）に続けて、従来例のファン動翼における遷移位置（コード比）を括弧内に表記している。
【００３３】
・亜音速領域の正圧面における遷移位置：0.39（0.27）
・亜音速領域の負圧面における遷移位置：0.36（0.17）
・遷音速領域の正圧面における遷移位置：0.35（0.03）
・遷音速領域の負圧面における遷移位置：0.43（0.11）
【００３４】
ここで、本開示の実施形態のファン動翼の遷移位置における翼面角変化率は、以下のとおりである。
・亜音速領域の正圧面：0.43
・亜音速領域の負圧面：0.58
・遷音速領域の正圧面：0.12
・遷音速領域の負圧面：0.47
【００３５】
したがって、各遷移位置における翼面角変化率を、本開示の実施形態のファン動翼と同一またはそれより小さくすることにより、翼面上の層流域を本開示の実施形態のファン動翼以上に拡大することができると考えられる。この条件は、具体的には以下のとおりである（図２Ａ〜図３Ｂの各グラフにおける(b)参照）。
・亜音速領域の正圧面においては、コード比0.39の位置における翼面角変化率を0.43以下とする。
・亜音速領域の負圧面においては、コード比0.36の位置における翼面角変化率を0.58以下とする。
・遷音速領域の正圧面においては、コード比0.35の位置における翼面角変化率を0.12以下とする。
・遷音速領域の負圧面においては、コード比0.43の位置における翼面角変化率を0.47以下とする。
【００３６】
また、上述した翼型の変化の方針（１）に関して、正圧面における翼面角変化率の最小値の絶対値を、本開示の実施形態のファン動翼と同一またはそれより小さくすることにより、前縁近傍の領域における急激な減速を抑制することができると考えられる。この条件は、具体的には以下のとおりである（図２Ａ及び図３Ａの各グラフにおける(a)参照）。
・亜音速領域における翼面角変化率の最小値を-0.90以上とする。
・遷音速領域における翼面角変化率の最小値を-0.48以上とする。
【００３７】
さらに、上述した翼型の変化の方針（２）に関して、負圧面の前縁近傍の領域における翼面角変化率を、本開示の実施形態のファン動翼と同一またはそれより大きくすることにより、それより下流の領域における翼面角変化率の急激な増加を抑制し、急激な減速の発生を防止することができると考えられる。この条件は、具体的には以下のとおりである（図２Ｂ及び図３Ｂの各グラフにおける(a)参照）。
・亜音速領域のコード比0.05の位置における翼面角変化率を0.26以上とする。
・遷音速領域のコード比0.10の位置における翼面角変化率を0.29以上とする。
【００３８】
以上を踏まえ、本開示の実施形態のファン動翼は、以下の条件を満足するものとする。
・亜音速領域の正圧面において、翼面角変化率の最小値が-0.90以上、かつ、コード比0.39の位置における翼面角変化率が0.43以下
・亜音速領域の負圧面において、コード比0.05の位置における翼面角変化率が0.26以上、かつ、コード比0.36の位置における翼面角変化率が0.58以下
・遷音速領域の正圧面において、翼面角変化率の最小値が-0.48以上、かつ、コード比0.35の位置における翼面角変化率が0.12以下
・遷音速領域の負圧面において、コード比0.10の位置における翼面角変化率が0.29以上、かつ、コード比0.43の位置における翼面角変化率が0.47以下
【００３９】
なお、以上においては、本開示の翼をターボファンエンジンの構成要素であるファンの動翼に適用した例について説明したが、本開示の翼は、ターボファンエンジン以外のガスタービンの圧縮機及び単一の装置としてのファンまたは圧縮機の動翼並びに静翼に広く適用可能である。
【符号の説明】
【００４０】
ＲＢ            ファン動翼
ＡＦ            翼部
ＲＴ            翼根部
ＰＳ            正圧面
ＳＳ            負圧面
ＬＥ            前縁
ＴＥ            後縁
β              翼面角
δ              翼面角変化率
【図１】
0006734576.tif 000002
【図２Ａ】
0006734576.tif 000003
【図２Ｂ】
0006734576.tif 000004
【図３Ａ】
0006734576.tif 000005
【図３Ｂ】
0006734576.tif 000006
【図４】
0006734576.tif 000007
【図５】
0006734576.tif 000008